(57)【要約】【課題】  パケットデータに基づいて行われる表示制御に融通性を与えることができる表示制御装置、表示制御方法、情報再生装置及び電子機器を提供する。【解決手段】  パケットデータが連続するストリームデータに基づいて表示制御を行うための表示制御装置１０は、パケットデータのヘッダ情報に含まれる表示時刻情報を検出するヘッダ解析部１２と、表示時刻データをテーブル化した表示時刻テーブルを参照して、パケットデータに基づいてフレーム単位で生成される画像データの転送指示をフレーム毎に行う画像データ転送指示部１４と、画像データ転送指示部１４の転送指示に基づき、画像データの転送制御を行う画像データ転送制御部１６とを含む。表示時刻テーブルには、ヘッダ情報の表示時刻情報に基づく表示時刻データ、又は該表示時刻情報及びパケットデータのペイロード部に基づく表示時刻データがフレーム単位で設定される。【選択図】      図１
2007251542.tif 000002
【特許請求の範囲】
【請求項１】
パケットデータが連続するストリームデータに基づいて表示制御を行うための表示制御装置であって、
パケットデータのヘッダ情報に含まれる表示時刻情報を検出するヘッダ解析部と、
少なくとも前記表示時刻情報を用いて求められる、表示時刻データをテーブル化した表示時刻テーブルを参照して、前記パケットデータに基づいてフレーム単位で生成される画像データの転送指示をフレーム毎に行う画像データ転送指示部と、
前記画像データ転送指示部の転送指示に基づき、前記画像データの転送制御を行う画像データ転送制御部とを含み、
前記表示時刻テーブルには、
前記ヘッダ情報の表示時刻情報に基づいて求められる表示時刻データ、又は該表示時刻情報及び前記パケットデータのペイロード部に基づいて求められる表示時刻データがフレーム単位で設定されることを特徴とする表示制御装置。
【請求項２】
請求項１において、
設定された時刻に割り込みを発生させるタイマ部を含み、
前記画像データ転送指示部が、
前記表示時刻テーブルの表示時刻データの１つを前記タイマ部に設定した後、該タイマ部からの割り込みを受信したことを条件に前記画像データ転送制御部に前記転送指示を行うことを特徴とする表示制御装置。
【請求項３】
請求項１において、
計時を行うタイマ部を含み、
前記画像データ転送指示部が、
前記表示時刻テーブルの表示時刻データの１つを前記タイマ部に設定した後、前記タイマ部をポーリングして前記表示時刻テーブルの表示時刻データにより表される表示時刻を経過したか否かを判別し、前記タイマ部の時刻が前記表示時刻を経過したと判別されたことを条件に前記画像データ転送制御部に前記転送指示を行うことを特徴とする表示制御装置。
【請求項４】
請求項１乃至３のいずれかにおいて、
前記表示時刻テーブルを複数種類有し、
前記ヘッダ解析部は、
前記表示時刻情報が検出される毎に、新規の表示時刻テーブルの先頭に、前記ヘッダ情報の表示時刻情報に基づいて求められる表示時刻データを設定すると共に、
前記表示時刻情報が検出されない限り、前記表示時刻情報及び前記パケットデータのペイロード部に基づいて求められる表示時刻データを、順番に同じ表示時刻テーブルにフレーム単位に設定することを特徴とする表示制御装置。
【請求項５】
請求項４において、
前記画像データ転送指示部が、
前記複数種類の表示時刻テーブルの１つから読み出したデータが所定の終了データであるとき、次の表示時刻テーブルの先頭から表示時刻データを読み出すことを特徴とする表示制御装置。
【請求項６】
請求項４又は５において、
前記表示時刻テーブルは、４種類であることを特徴とする表示制御装置。
【請求項７】
請求項４乃至６のいずれかにおいて、
前記パケットデータが、
ＰＥＳ（Packetized Elementary Stream）パケットデータであり、
前記ヘッダ解析部は、
ＰＴＳ（Presentation Time Stamp）が検出される毎に、新規の表示時刻テーブルの先頭に、前記ＰＴＳに基づいて求められる表示時刻データを設定すると共に、
前記ＰＴＳが検出されない限り、前記ＰＴＳ及び前記パケットデータのペイロード部に含まれるＳＥＩ（Supplemental Enhancement Information)及びＶＵＩ（Video Usability Information）に基づいて求められる表示時刻データを、順番に同じ表示時刻テーブルにフレーム単位に設定することを特徴とする表示制御装置。
【請求項８】
請求項１乃至６のいずれかにおいて、
前記パケットデータが、
ＰＥＳ（Packetized Elementary Stream）パケットデータであり、
前記表示時刻情報が、
ＰＴＳ（Presentation Time Stamp）であることを特徴とする表示制御装置。
【請求項９】
パケットデータが連続するストリームデータに基づいて表示制御を行うための表示制御方法であって、
前記パケットデータのヘッダ情報に含まれる表示時刻情報を検出し、
少なくとも前記表示時刻情報を用いて求められる、表示時刻データをテーブル化した表示時刻テーブルを参照して、前記パケットデータに基づいてフレーム単位で生成される画像データの転送指示をフレーム毎に行い、
前記転送指示に基づき、前記画像データの転送制御を行い、
前記表示時刻テーブルには、
前記ヘッダ情報の表示時刻情報に基づいて求められる表示時刻データ、又は該表示時刻情報及び前記パケットデータのペイロード部に基づいて求められる表示時刻データがフレーム単位で設定されることを特徴とする表示制御方法。
【請求項１０】
請求項９において、
前記表示時刻テーブルの表示時刻データの１つをタイマ部に設定した後、該タイマ部からの割り込み通知又は前記タイマ部へのポーリングの結果、前記表示時刻データに対応した表示時刻が経過したと判別されたことを条件に前記画像データの転送指示を行うことを特徴とする表示制御方法。
【請求項１１】
請求項９又は１０において、
前記表示時刻テーブルを複数種類有し、
前記表示時刻情報が検出される毎に、新規の表示時刻テーブルの先頭に、前記ヘッダ情報の表示時刻情報に基づいて求められる表示時刻データを設定すると共に、
前記表示時刻情報が検出されない限り、前記表示時刻情報及び前記パケットデータのペイロード部に基づいて求められる表示時刻データを、順番に同じ表示時刻テーブルにフレーム単位に設定することを特徴とする表示制御方法。
【請求項１２】
請求項１１において、
前記複数種類の表示時刻テーブルの１つから読み出したデータが所定の終了データであるとき、次の表示時刻テーブルの先頭から表示時刻データを読み出すことを特徴とする表示制御方法。
【請求項１３】
請求項１１又は１２において、
前記表示時刻テーブルは、４種類であることを特徴とする表示制御方法。
【請求項１４】
請求項９乃至１３のいずれかにおいて、
前記パケットデータが、
ＰＥＳ（Packetized Elementary Stream）パケットデータであり、
ＰＴＳ（Presentation Time Stamp）が検出される毎に、新規の表示時刻テーブルの先頭に、前記ＰＴＳに基づいて求められる表示時刻データを設定すると共に、
前記ＰＴＳが検出されない限り、前記ＰＴＳ及び前記パケットデータのペイロード部に含まれるＳＥＩ（Supplemental Enhancement Information)及びＶＵＩ（Video Usability Information）に基づいて求められる表示時刻データを、順番に同じ表示時刻テーブルにフレーム単位に設定することを特徴とする表示制御方法。
【請求項１５】
請求項９乃至１４のいずれかにおいて、
前記パケットデータが、
ＰＥＳ（Packetized Elementary Stream）パケットデータであり、
前記表示時刻情報が、
ＰＴＳ（Presentation Time Stamp）であることを特徴とする表示制御方法。
【請求項１６】
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域と、出力画像の画像データが格納される出力画像データ記憶領域とを有するメモリと、
前記第１の記憶領域から読み出された前記第１のＴＳパケットに基づいて前記映像データを生成する映像デコード処理を行い、映像デコード処理後のデータを前記メモリの出力画像データ記憶領域に格納する映像デコーダと、
前記第２の記憶領域から読み出された前記第２のＴＳパケットに基づいて前記音声データを生成する音声デコード処理を行う音声デコーダと、
前記メモリの出力画像データ記憶領域からデータの転送制御を行う画像データ転送制御部とを含み、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行い、
前記画像データ転送制御部が、
前記第１のＴＳパケットに含まれるＰＥＳパケットのヘッダ情報に含まれる表示時刻情報を少なくとも用いて求められる表示時刻データをテーブル化した表示時刻テーブルを参照して、フレーム毎に行われる画像データの転送指示に基づき画像データの転送制御を行い、
前記表示時刻テーブルには、
前記ヘッダ情報に基づいて求められる表示時刻データ、又は該ヘッダ情報及び前記パケットデータのペイロード部に基づいて求められる表示時刻データがフレーム単位で設定されることを特徴とする情報再生装置。
【請求項１７】
請求項１６記載の情報再生装置と、
前記情報再生装置に対し、前記映像デコード処理及び前記音声デコード処理の少なくとも１つの処理開始を指示するホストとを含むことを特徴とする電子機器。
【請求項１８】
チューナと、
前記チューナからのトランスポートストリームが供給される請求項１６記載の情報再生装置と、
前記情報再生装置に対し、前記映像デコード処理及び前記音声デコード処理の少なくとも１つの処理開始を指示するホストとを含むことを特徴とする電子機器。
【発明の詳細な説明】
【技術分野】
【０００１】
本発明は、表示制御装置、表示制御方法、情報再生装置及び電子機器に関する。
【背景技術】
【０００２】
地上アナログ放送に替わって登場する地上デジタル放送では、画像及び音声の高品質化に加えて種々の新サービスの提供に期待が寄せられている。地上デジタル放送の導入によって新たに提供されるサービスの１つに、携帯端末向けサービスとして、いわゆる「１セグメント放送」がある。「１セグメント放送」では、ＱＰＳＫ（Quadrature Phase Shift Keying）変調方式で変調されたデジタル変調波をＯＦＤＭ（Orthogonal Frequency Division Multiplexing）変調方式で多重化することで、携帯端末の移動時でも安定した放送受信が可能となる。
【０００３】
このような携帯端末の一例として、携帯電話機がある。携帯電話機に「１セグメント放送」の受信機能を付加する場合、圧縮処理後の映像データ及び音声データが多重化されたトランスポートストリームの分離処理や分離処理後のデータのデコード処理を行う。そして、デコード処理後の映像データ及び音声データを、同期をとりながら再生する。
【０００４】
「１セグメント放送」では、上述のように受信状況がある程度劣化した場合でも、これまでより安定して放送を受信することができる。しかしながら、その受信状況が更に劣化した場合、映像、音声、字幕が同時に乱れてしまうという問題がある。そこで、例えば特許文献１では、受信状況が劣化した場合であっても、時間インターリーブ処理により置換可能な映像データを、時間的に間隔をあけて放送する技術が開示されている。こうすることで、受信状況の劣化時に、本来の映像、音声、字幕のデータを正常に受信できない場合であっても、別の映像データに置換して映像出力を行うことができる。
【特許文献１】特開２００４−１４０５０６号公報
【発明の開示】
【発明が解決しようとする課題】
【０００５】
ところで、映像データのデコード処理を行う場合、Ｉピクチャのデコード処理時間とＰピクチャのデコード処理時間とで大きく異なるばかりか、同じＩピクチャであっても自然の画像のデコード処理時間と例えば単純模様の画像のデコード処理時間とで大きく異なる。そのため、パケットデータが連続するストリームデータから映像と音声の同期再生を行う「１セグメント放送」においては、Ｐピクチャの画像のデコード処理が終了して数フレーム分をバッファに蓄積させる必要があると考えられる。
【０００６】
しかしながら、特許文献１に開示された技術では、このように画像が生成される時間間隔をその都度異なるような場合、上述のように置換して映像出力することは困難となる上に、欠落したフレームを管理することができない。
【０００７】
また、表示間隔時間を変更することが構成上極めて困難であり、融通性に富んだ表示制御ができないという問題がある。
【０００８】
本発明は、以上のような技術的課題に鑑みてなされたものであり、その目的とするところは、パケットデータに基づいて行われる画像データの表示制御に融通性を与えることができる表示制御装置、表示制御方法、情報再生装置及び電子機器を提供することにある。
【課題を解決するための手段】
【０００９】
上記課題を解決するために本発明は、
パケットデータが連続するストリームデータに基づいて表示制御を行うための表示制御装置であって、
パケットデータのヘッダ情報に含まれる表示時刻情報を検出するヘッダ解析部と、
少なくとも前記表示時刻情報を用いて求められる、表示時刻データをテーブル化した表示時刻テーブルを参照して、前記パケットデータに基づいてフレーム単位で生成される画像データの転送指示をフレーム毎に行う画像データ転送指示部と、
前記画像データ転送指示部の転送指示に基づき、前記画像データの転送制御を行う画像データ転送制御部とを含み、
前記表示時刻テーブルには、
前記ヘッダ情報の表示時刻情報に基づいて求められる表示時刻データ、又は該表示時刻情報及び前記パケットデータのペイロード部に基づいて求められる表示時刻データがフレーム単位で設定される表示制御装置に関係する。
【００１０】
本発明によれば、表示時刻テーブルを生成することにより、該表示時刻テーブルに設定された表示時刻データにより表される表示時刻（再生時刻）であるか否かによって、画像データの転送制御の可否を決定することができる。このため、例えば画像が生成される時間間隔がフレーム毎に異なった場合であっても、各フレームの画像の管理が容易となり、表示間隔時間を変更する等の表示制御の融通性を向上させることができるようになる。また、無駄に多くの画像をバッファリングさせる必要がなくなり、表示制御装置が適用される機器の低コスト化に寄与できるようになる。
【００１１】
また本発明に係る表示制御装置では、
設定された時刻に割り込みを発生させるタイマ部を含み、
前記画像データ転送指示部が、
前記表示時刻テーブルの表示時刻データの１つを前記タイマ部に設定した後、該タイマ部からの割り込みを受信したことを条件に前記画像データ転送制御部に前記転送指示を行うことができる。
【００１２】
また本発明に係る表示制御装置では、
計時を行うタイマ部を含み、
前記画像データ転送指示部が、
前記表示時刻テーブルの表示時刻データの１つを前記タイマ部に設定した後、前記タイマ部をポーリングして前記表示時刻テーブルの表示時刻データにより表される表示時刻を経過したか否かを判別し、前記タイマ部の時刻が前記表示時刻を経過したと判別されたことを条件に前記画像データ転送制御部に前記転送指示を行うことができる。
【００１３】
上記のいずれかの発明によれば、表示時刻テーブルに設定された表示時刻データに対応した表示時刻に、簡素な構成で、画像データの転送指示を行うことができる。
【００１４】
また本発明に係る表示制御装置では、
前記表示時刻テーブルを複数種類有し、
前記ヘッダ解析部は、
前記表示時刻情報が検出される毎に、新規の表示時刻テーブルの先頭に、前記ヘッダ情報の表示時刻情報に基づいて求められる表示時刻データを設定すると共に、
前記表示時刻情報が検出されない限り、前記表示時刻情報及び前記パケットデータのペイロード部に基づいて求められる表示時刻データを、順番に同じ表示時刻テーブルにフレーム単位に設定することができる。
【００１５】
また本発明に係る表示制御装置では、
前記画像データ転送指示部が、
前記複数種類の表示時刻テーブルの１つから読み出したデータが所定の終了データであるとき、次の表示時刻テーブルの先頭から表示時刻データを読み出すことができる。
【００１６】
例えばＰＥＳパケットのペイロード部から生成されるＥＳデータについては、表示時刻の管理ができなくなる。しかしながら、上記のいずれかの発明によれば、ＰＴＳのような表示時刻情報が検出されるたびに新規の表示時刻テーブルを生成することで、上記のＥＳデータへの変換後も表示時刻の管理が可能となる。
【００１７】
また、表示時刻情報が検出されても１つの表示時刻テーブルに単に順番に表示時刻データを設定してしまうと、表示時刻情報を基準に計算する必要がある表示時刻の算出のために、表示時刻テーブル中の表示時刻情報の位置（テーブル番号）を管理する必要が生じる。これに対して、表示時刻情報が検出されるたびに新規の表示時刻テーブルを生成することで、各表示時刻テーブルのテーブル番号「０」の表示時刻データが表示時刻情報となるため、表示時刻テーブル中の表示時刻情報の位置を管理する必要がない。
【００１８】
また本発明に係る表示制御装置では、
前記表示時刻テーブルは、４種類であってもよい。
【００１９】
また本発明に係る表示制御装置では、
前記パケットデータが、
ＰＥＳ（Packetized Elementary Stream）パケットデータであり、
前記ヘッダ解析部は、
ＰＴＳ（Presentation Time Stamp）が検出される毎に、新規の表示時刻テーブルの先頭に、前記ＰＴＳに基づいて求められる表示時刻データを設定すると共に、
前記ＰＴＳが検出されない限り、前記ＰＴＳ及び前記パケットデータのペイロード部に含まれるＳＥＩ（Supplemental Enhancement Information)及びＶＵＩ（Video Usability Information）に基づいて求められる表示時刻データを、順番に同じ表示時刻テーブルにフレーム単位に設定することができる。
【００２０】
例えばＰＥＳパケットのペイロード部から生成されるＥＳデータについては、表示時刻の管理ができなくなる。しかしながら、本発明によれば、ＰＥＳＨが検出されるたびに新規の表示時刻テーブルを生成することで、ＥＳデータへの変換後も表示時刻の管理が可能となる。
【００２１】
また、ＰＥＳＨが検出されても１つの表示時刻テーブルに単に順番に表示時刻データを設定してしまうと、ＰＴＳを基準に計算する必要がある表示時刻の算出のために、表示時刻テーブル中のＰＴＳの位置を管理する必要が生じる。これに対して、ＰＥＳＨが検出されるたびに新規の表示時刻テーブルを生成することで、各表示時刻テーブルのテーブル番号「０」の表示時刻データがＰＴＳの値（又はＰＴＳに対応した値）となるため、表示時刻テーブル中のＰＴＳの位置を管理する必要がない。
【００２２】
また本発明に係る表示制御装置では、
前記パケットデータが、
ＰＥＳ（Packetized Elementary Stream）パケットデータであり、
前記表示時刻情報が、
ＰＴＳ（Presentation Time Stamp）であってもよい。
【００２３】
また本発明は、
パケットデータが連続するストリームデータに基づいて表示制御を行うための表示制御方法であって、
前記パケットデータのヘッダ情報に含まれる表示時刻情報を検出し、
少なくとも前記表示時刻情報を用いて求められる、表示時刻データをテーブル化した表示時刻テーブルを参照して、前記パケットデータに基づいてフレーム単位で生成される画像データの転送指示をフレーム毎に行い、
前記転送指示に基づき、前記画像データの転送制御を行い、
前記表示時刻テーブルには、
前記ヘッダ情報の表示時刻情報に基づいて求められる表示時刻データ、又は該表示時刻情報及び前記パケットデータのペイロード部に基づいて求められる表示時刻データがフレーム単位で設定される表示制御方法に関係する。
【００２４】
また本発明に係る表示制御方法では、
前記表示時刻テーブルの表示時刻データの１つをタイマ部に設定した後、該タイマ部からの割り込み通知又は前記タイマ部へのポーリングの結果、前記表示時刻データに対応した表示時刻が経過したと判別されたことを条件に前記画像データの転送指示を行うことができる。
【００２５】
また本発明に係る表示制御方法では、
前記表示時刻テーブルを複数種類有し、
前記表示時刻情報が検出される毎に、新規の表示時刻テーブルの先頭に、前記ヘッダ情報の表示時刻情報に基づいて求められる表示時刻データを設定すると共に、
前記表示時刻情報が検出されない限り、前記表示時刻情報及び前記パケットデータのペイロード部に基づいて求められる表示時刻データを、順番に同じ表示時刻テーブルにフレーム単位に設定することができる。
【００２６】
また本発明に係る表示制御方法では、
前記複数種類の表示時刻テーブルの１つから読み出したデータが所定の終了データであるとき、次の表示時刻テーブルの先頭から表示時刻データを読み出すことができる。
【００２７】
また本発明に係る表示制御方法では、
前記表示時刻テーブルは、４種類であってもよい。
【００２８】
また本発明に係る表示制御方法では、
前記パケットデータが、
ＰＥＳ（Packetized Elementary Stream）パケットデータであり、
ＰＴＳ（Presentation Time Stamp）が検出される毎に、新規の表示時刻テーブルの先頭に、前記ＰＴＳに基づいて求められる表示時刻データを設定すると共に、
前記ＰＴＳが検出されない限り、前記ＰＴＳ及び前記パケットデータのペイロード部に含まれるＳＥＩ（Supplemental Enhancement Information)及びＶＵＩ（Video Usability Information）に基づいて求められる表示時刻データを、順番に同じ表示時刻テーブルにフレーム単位に設定することができる。
【００２９】
また本発明に係る表示制御方法では、
前記パケットデータが、
ＰＥＳ（Packetized Elementary Stream）パケットデータであり、
前記表示時刻情報が、
ＰＴＳ（Presentation Time Stamp）であってもよい。
【００３０】
また本発明は、
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域と、出力画像の画像データが格納される出力画像データ記憶領域とを有するメモリと、
前記第１の記憶領域から読み出された前記第１のＴＳパケットに基づいて前記映像データを生成する映像デコード処理を行い、映像デコード処理後のデータを前記メモリの出力画像データ記憶領域に格納する映像デコーダと、
前記第２の記憶領域から読み出された前記第２のＴＳパケットに基づいて前記音声データを生成する音声デコード処理を行う音声デコーダと、
前記メモリの出力画像データ記憶領域からデータの転送制御を行う画像データ転送制御部とを含み、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行い、
前記画像データ転送制御部が、
前記第１のＴＳパケットに含まれるＰＥＳパケットのヘッダ情報に含まれる表示時刻情報を少なくとも用いて求められる表示時刻データをテーブル化した表示時刻テーブルを参照して、フレーム毎に行われる画像データの転送指示に基づき画像データの転送制御を行い、
前記表示時刻テーブルには、
前記ヘッダ情報に基づいて求められる表示時刻データ、又は該ヘッダ情報及び前記パケットデータのペイロード部に基づいて求められる表示時刻データがフレーム単位で設定されることを特徴とする情報再生装置。
【００３１】
本発明によれば、パケットデータに基づいて行われる画像データの表示制御に融通性を与えることができる表示制御装置が適用された情報再生装置を提供できる。
【００３２】
更に、例えば１セグメント放送のビットレートを考慮すると、その帯域のほとんどが映像データや音声データの帯域となり、データ放送自体の帯域が狭くなると考えられる。従って、本発明によれば、処理能力が高く消費電力の大きいＣＰＵを搭載することなく、それぞれ独立にデコード処理を行わせる映像デコーダ及び音声デコーダを設け、それぞれの処理能力として低いものを採用できる。従って、映像デコーダ及び音声データの一方の動作を適宜停止させて柔軟に低消費電力化を図ることができるようになり、処理負荷の重い１セグメント放送の再生処理を行う情報再生装置の低消費電力化を実現できる。
【００３３】
更には、映像デコーダ及び音声デコーダを並列動作させることができるため、各デコーダの処理能力を低くて済み、より低消費電力化及び低コスト化を実現できる。
【００３４】
また本発明は、
上記記載の情報再生装置と、
前記情報再生装置に対し、前記映像デコード処理及び前記音声デコード処理の少なくとも１つの処理開始を指示するホストとを含む電子機器に関係する。
【００３５】
また本発明は、
チューナと、
前記チューナからのトランスポートストリームが供給される上記記載の情報再生装置と、
前記情報再生装置に対し、前記映像デコード処理及び前記音声デコード処理の少なくとも１つの処理開始を指示するホストとを含む電子機器に関係する。
【００３６】
上記のいずれかの発明によれば、パケットデータに基づいて行われる画像データの表示制御に融通性を与えることができる表示制御装置を含む電子機器を提供でき、低コストな電子機器を提供できるようになる。
【発明を実施するための最良の形態】
【００３７】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３８】
１．  表示制御装置
図１に、本実施形態における表示制御装置の構成例のブロック図を示す。
【００３９】
表示制御装置１０は、パケットデータが連続するストリームデータから生成される画像データの表示部３０への転送制御を行うことで、表示部３０の表示制御を行う。ここで、表示部３０は、例えば電気光学装置としての液晶表示（Liquid Crystal Display：以下、ＬＣＤと略す）パネル（図示せず）と、該ＬＣＤパネルの複数の走査線及び複数のデータ線を駆動する駆動回路（図示せず）とを含むことができる。駆動回路は、ＬＣＤパネルの複数の走査線を走査しながら、該ＬＣＤパネルの複数のデータ線を画像データに基づいて駆動する。この場合、表示制御装置１０は、表示部３０の駆動回路に対して画像データを転送する。
【００４０】
このような表示制御装置１０に入力されるストリームデータは、１又は複数のパケットデータを含む。各パケットデータは、ヘッダ情報とペイロード部とを含む。そしてペイロード部のデータに基づいて生成された１又は複数の画像データを、該パケットデータにより指定された表示時刻に表示部３０に表示させるための制御を行う。
【００４１】
より具体的には、表示制御装置１０は、ヘッダ解析部１２と、画像データ転送指示部１４と、画像データ転送制御部１６とを含む。ヘッダ解析部１２は、ストリームデータを構成するパケットデータのヘッダ情報に含まれる表示時刻情報を検出する。画像データ転送指示部１４は、ヘッダ解析部１２によって検出された表示時刻情報を少なくとも用いて求められる、表示時刻データをテーブル化した表示時刻テーブルを参照して、フレーム毎に画像データの転送指示を行う。ここで、表示時刻テーブルには、パケットデータに基づいて求められる表示時刻データがフレーム単位で設定される。
【００４２】
そして画像データ転送指示部１４は、画像データ転送制御部１６に対して転送指示を行う。画像データ転送制御部１６は、画像データ転送指示部１４の転送指示に基づき、画像データの転送制御を行う。
【００４３】
図２に、本実施形態における表示時刻テーブルの説明図を示す。
【００４４】
本実施形態における表示時刻テーブルは、テーブル番号（テーブルＮｏ．）の「０」から順にフレーム単位で表示時刻データが設定される。例えばテーブル番号に対応して、フレーム番号（フレームＮｏ．）及び表示時刻データが設定される。
【００４５】
この表示時刻データは、パケットデータのヘッダ情報の表示時刻情報に基づいて求められたり、該表示時刻情報及び上記パケットデータのペイロード部に基づいて求められたりする。そして、表示時刻テーブルの最終のテーブル番号の表示時刻データとして、所定の終了コードであるＥＯＴ（End Of Table）コードが設定される。表示時刻テーブルの表示時刻データを順番に参照したときに、表示時刻データがＥＯＴコードであるか否かを判別することで、該表示時刻テーブルの表示時刻データをすべて読み出したか否かを判断することができるようになっている。
【００４６】
上記のように表示制御装置１０を構成し、表示時刻テーブルを生成することにより、該表示時刻テーブルに設定された表示時刻データにより表される表示時刻（再生時刻）であるか否かによって、画像データの転送制御の可否を決定することができる。このため、例えば画像が生成される時間間隔がフレーム毎に異なった場合であっても、各フレームの画像の管理が容易となり、表示間隔時間を変更する等の表示制御の融通性を向上させることができるようになる。また、無駄に多くの画像をバッファリングさせる必要がなくなり、表示制御装置１０が適用される機器の低コスト化に寄与できるようになる。
【００４７】
このような表示制御装置１０は、更に、表示時刻テーブル記憶部１８、バッファ部２０を含むことができる。表示時刻テーブル記憶部１８には、ヘッダ解析部１２によるパケットデータのヘッダ情報の解析結果に基づいて表示時刻情報に対応した表示時刻データ、又は該表示時刻情報及びパケットデータのペイロード部に基づいて求められる表示時刻データが、フレーム単位で設定される。画像データ転送指示部１４は、表示時刻テーブル記憶部１８に記憶された表示時刻テーブルの先頭から順番に、表示時刻データにより表される表示時刻に、各フレームの画像データの転送指示を行う。
【００４８】
一方、バッファ部２０には、ヘッダ解析部１２によってヘッダ情報及びペイロード部が解析されたパケットデータのペイロード部又はそのペイロード部のデータに基づいて生成される１又は複数フレーム分の画像データが格納される。画像データ転送指示部１４からの転送指示を受けた画像データ転送制御部１６は、バッファ部２０に格納された画像データのうち、１フレーム分の画像データを表示部３０に転送する制御を行う。
【００４９】
なお、表示制御装置１０は、更にタイマ部２２を含むことができる。タイマ部２２は、画像データ転送指示部１４によって設定された時刻に割り込みを発生させる。そして、画像データ転送指示部１４は、表示時刻テーブルの表示時刻データの１つをこのタイマ部２２に設定した後、該タイマ部２２からの割り込みを受信したことを条件に画像データ転送制御部１６に画像データの転送指示を行う。
【００５０】
図３に、図１のタイマ部２２の構成例のブロック図を示す。
【００５１】
タイマ部２２は、表示時刻設定レジスタ４０、カウンタ４２、コンパレータ４４、割り込み発生部４６を含むことができる。表示時刻設定レジスタ４０には、画像データ転送指示部１４から表示時刻テーブルの表示時刻データの１つが設定される。カウンタ４２は、所与の基準クロックのカウント数をカウントし、カウント値としてコンパレータ４４に出力する。コンパレータ４４は、カウンタ４２のカウント値と表示時刻設定レジスタ４０の設定値とを比較し、両者の値が一致したときに一致検出パルスを割り込み発生部４６に出力する。割り込み発生部４６は、一致検出パルスが入力されたときに割り込み信号を出力する。この割り込み信号は、画像データ転送指示部１４に入力される。
【００５２】
そして、画像データ転送指示部１４は、該タイマ部２２からの割り込みを受信したことを条件に画像データ転送制御部１６に画像データの転送指示を行う。その後、画像データ転送指示部１４は、表示時刻テーブル記憶部１８に記憶された表示時刻テーブルの次の表示時刻データを、タイマ部２２の表示時刻設定レジスタ４０に設定し、次の割り込み信号の受信を待つ。
【００５３】
図４に、画像データ転送指示部１４の処理例のフロー図を示す。
【００５４】
例えば表示制御装置１０が、図示しない中央演算処理装置（Central Processing Unit：ＣＰＵ)及びメモリを有し、該メモリに記憶されたプログラムに従って処理を実行するＣＰＵが、画像データ転送指示部１４の機能を実現することができる。このとき、タイマ部２２からの割り込み信号が受信されたときの割り込みハンドラとして、図４のフローを実行することができる。
【００５５】
まず、画像データ転送指示部１４（図示しないＣＰＵ）は、パケットデータが入力されたか否かを判別する（ステップＳ１００）。そして、パケットデータが入力されたとき（ステップＳ１００：Ｙ）、画像データ転送指示部１４は、表示すべきフレームのアドレスとして予め設定されたバッファ部２０のアドレスを指定し、転送コマンドを画像データ転送制御部１６に発行して画像データの転送指示を行う（ステップＳ１０１）。
【００５６】
その後、画像データ転送指示部１４は、表示時刻テーブルのテーブル番号を指定するポインタをインクリメントして、次の表示時刻データを指定する（ステップＳ１０２）。そして、ステップＳ１０２でインクリメントされたポインタが指すテーブル番号の表示時刻データを、タイマ部２２の表示時刻設定レジスタ４０に設定し（ステップＳ１０３）、一連の処理を終了する（エンド）。
【００５７】
一方、ステップＳ１００において、パケットデータの入力が検出されないとき（ステップＳ１００：Ｎ）、画像データ転送指示部１４は、次の割り込み信号の受信を待つために所定のタイマ値をタイマ部２２の表示時刻設定レジスタ４０に設定し（ステップＳ１０４）、一連の処理を終了する（エンド）。
【００５８】
こうすることで、画像データ転送指示部１４が、表示時刻テーブルにおいてテーブル化された表示時刻テーブルに従って、画像データの転送指示を行うことができる。
【００５９】
次に、本実施形態における表示時刻テーブルの生成処理について具体的に説明する。以下では、パケットデータが、ＰＥＳ（Packetized Elementary Stream）パケットデータであり、表示時刻情報がＰＴＳ（Presentation Time Stamp）であるものとする。
【００６０】
図５（Ａ）、図５（Ｂ）に、ＰＥＳパケットの説明図を示す。
【００６１】
ここでは、１つのＰＥＳパケットは、例えばデコード処理が行われるデータ単位であるアクセスユニット（Access Unit：ＡＵ)を１つ含むものと説明するが、１つのＰＥＳパケットが２以上のＡＵを含んでいても良い。
【００６２】
図５（Ａ）は、ＩＤＲ（Instantaneous Decoding Refresh）ピクチャを含むＰＥＳパケットの構成例を示す、図５（Ｂ）は、ＩＤＲピクチャを含まないＰＥＳパケットの構成例を示す。図５（Ａ）、図５（Ｂ）に示すように、ＰＥＳパケットは、ＰＥＳヘッダ（PES Header：ＰＥＳＨ）（広義にはヘッダ情報）とペイロード部とを含む。ＰＥＳＨは、ＰＴＳを含む。
【００６３】
図５（Ａ）において、ペイロード部は、ＳＰＳ（Sequence Parameter Set)、ＰＰＳ（Picture Parameter Set）、ＳＥＩ（Supplemental Enhancement Information)、ビットデータ部、ＥＯＳ（End Of Sequence）を含む。一方、図５（Ｂ）において、ペイロード部は、ＰＰＳ、ＳＥＩ、ビットデータ部、ＥＯＳを含む。
【００６４】
ＳＰＳは、連続した複数のピクチャを単位とするシーケンス全体のパラメータが設定される。ＳＰＳは、ビデオ表示情報としてＶＵＩ（Video Usability Information）パラメータを含み、表示時刻の制御パラメータ等が設定される。このようなＶＵＩに設定される表示時刻の制御パラメータとして、例えばnum_units_in_tick、time_scale、fixed_frame_rate_flagがある。num_units_in_tickはクロック動作周波数での時間単位数、time_scaleは１秒間の時間単位数、fixed_frame_rate_flagは固定フレームレートか可変フレームレートかを示すフラグである。
【００６５】
ＰＰＳは、ピクチャ単位で設定されるパラメータであり、ＩＤＲピクチャを含むＰＥＳパケットパケットには必ず設定される。
【００６６】
ＳＥＩは、バッファリング期間ＳＥＩ、ピクチャタイミングＳＥＩ、パンスキャン矩形ＳＥＩ、フィラーペイロードＳＥＩがあり、ＩＤＲピクチャを含むＡＵは上記の４種類のＳＥＩが設定され、ＩＤＲピクチャを含まないＡＵはピクチャタイミングＳＥＩ、フィラーペイロードＳＥＩが設定される。ピクチャタイミングＳＥＩに設定される表示時刻の制御パラメータとして、cpb_removal_delayがある。cpb_removal_delayは、直前のバッファリング期間ＳＥＩが付与されたＡＵに対するデコード時間を基準に、当該ＡＵをデコードするまでの遅延時間に相当する。
【００６７】
ビットデータ部には、画像データを生成するためのビットストリームが設定される。例えば、このビットストリームのデコード処理を行うことで画像データを生成できる。
【００６８】
ＥＯＳは、シーケンスの終了を示すコードである。
【００６９】
従って、表示時刻データは、ＰＥＳＨのＰＴＳや、ＰＴＳとＶＵＩ及びＳＥＩに基づいて生成できる。そして、以下に示すフローに従って、表示時刻テーブルが生成される。
【００７０】
図６に、本実施形態における表示時刻テーブルの生成処理例のフロー図を示す。
【００７１】
例えば表示制御装置１０が、図示しないＣＰＵ及びメモリを有し、該メモリに記憶されたプログラムに従って処理を実行するＣＰＵが、ヘッダ解析部１２の機能を実現することができる。そして、ヘッダ解析部１２として機能するＣＰＵが、以下に示す処理に従って表示時刻テーブルを生成することができる。
【００７２】
まず、ヘッダ解析部１２（図示しないＣＰＵ）は、ストリームデータからＰＥＳＨのＰＴＳを検出する（ステップＳ１１０）。ＰＥＳＨのＰＴＳが検出されたとき（ステップＳ１１０：Ｙ）、ヘッダ解析部１２は、表示時刻テーブルの先頭に、ＰＴＳに対応した表示時刻データをフレーム番号と共に設定する（ステップＳ１１２）。そして、ヘッダ解析部１２は、この表示時刻テーブルのテーブル番号を指定するポインタをインクリメントして（ステップＳ１１３）、一連の処理を終了する（エンド）。
【００７３】
ステップＳ１１０においてＰＥＳＨのＰＴＳが検出されないとき（ステップＳ１１０：Ｎ）、ヘッダ解析部１２は、ＶＵＩのfixed_frame_rate_flagが０であるか否かを判別する（ステップＳ１１４）。fixed_frame_rate_flagが０であると判別されたとき（ステップＳ１１４：Ｙ）、ヘッダ解析部１２は、可変フレームレートであると判断して、このＡＵがＩＤＲピクチャを含むＡＵ（ＩＤＲ＿ＡＵ）であるか否かを判別する（ステップＳ１１５）。
【００７４】
ステップＳ１１５において、当該ＡＵがＩＤＲ＿ＡＵであると判別されたとき（ステップＳ１１５：Ｙ）、ヘッダ解析部１２は、９０ｋＨｚのカウンタで設定可能な表示時刻データCTimeを、次式のように求める（ステップＳ１１６）。
【００７５】
CTime=PTS+(Cn×num_units_in_tick/time_scale×90000)      ・・・（１）
（１）式において、PTSはＰＥＳＨのＰＴＳの値、Cnは、ＰＥＳパケットに含まれるｎ（ｎは自然数）番目のＡＵのピクチャタイミングＳＥＩに設定されたcpb_removal_delayの値、num_units_in_tick及びtime_scaleはＶＵＩに設定された制御パラメータの値である。
【００７６】
ステップＳ１１５において、当該ＡＵがＩＤＲ＿ＡＵであると判別されたとき（ステップＳ１１５：Ｙ）、ヘッダ解析部１２は、表示時刻データCTimeを、次式のように求める（ステップＳ１１７）。
【００７７】
CTime=PTS+(Cn-C1)×num_units_in_tick/time_scale×90000    ・・・（２）
（２）式において、C1は、ＰＥＳパケットに含まれる１番目のＡＵのピクチャタイミングＳＥＩに設定されたcpb_removal_delayの値、Cn（ここでｎは２以上の整数）は、ＰＥＳパケットに含まれるｎ番目のＡＵのピクチャタイミングＳＥＩに設定されたcpb_removal_delayの値である。
【００７８】
また、ステップＳ１１４において、fixed_frame_rate_flagが１であると判別されたとき（ステップＳ１１４：Ｎ）、ヘッダ解析部１２は、固定フレームレートであると判断して、表示時刻データCTimeを、次式のように求める（ステップＳ１１８）。
【００７９】
CTime=PTS+(N-1)×num_units_in_tick/time_scale            ・・・（３）
（３）式において、Ｎは、ＰＥＳパケットに含まれるＮ番目のＡＵであることを示すパラメータである。
【００８０】
ステップＳ１１６、ステップＳ１１７、ステップＳ１１８のいずれかにより表示時刻データCTimeが求められると、ヘッダ解析部１２は、表示時刻テーブルにこの表示時刻データCTimeをフレーム番号と共に設定する（ステップＳ１１９）。ステップＳ１１９の後、ステップＳ１１３に移って、ヘッダ解析部１２は、この表示時刻テーブルのテーブル番号を指定するポインタをインクリメントして（ステップＳ１１３）、一連の処理を終了する（エンド）。
【００８１】
ストリームデータが入力されるたびに、以上のような処理を行うことで、ヘッダ解析部１２は、ＡＵ毎に表示時刻データを表示時刻テーブルに設定し、図２に示す表示時刻テーブルを生成することができる。なお、表示時刻テーブルの最終テーブル番号の表示時刻データとして、終了コードであるＥＯＴコードを公知の処理で挿入することが望ましい。
【００８２】
１．１  変形例
なお、本実施形態では、表示時刻テーブルを１種類であるものとして説明したが、これに限定されるものではない。本実施形態の変形例では、表示時刻テーブルを複数種類設け、ＰＴＳが検出されるたびに新規の表示時刻テーブルの先頭から順番に表示時刻データを設定する。
【００８３】
例えばＰＥＳパケットのペイロード部から生成されるＥＳデータについては、表示時刻の管理ができなくなる。しかしながら、ＰＥＳＨが検出されるたびに新規の表示時刻テーブルを生成することで、ＥＳデータへの変換後も表示時刻の管理が可能となる。
【００８４】
また、ＰＥＳＨが検出されても１つの表示時刻テーブルに単に順番に表示時刻データを設定してしまうと、ＰＴＳを基準に計算する必要がある表示時刻の算出のために、表示時刻テーブル中のＰＴＳの位置（テーブル番号）を管理する必要が生じる。これに対して、ＰＥＳＨが検出されるたびに新規の表示時刻テーブルを生成することで、各表示時刻テーブルのテーブル番号「０」の表示時刻データがＰＴＳの値（又はＰＴＳに対応した値）となるため、表示時刻テーブル中のＰＴＳの位置を管理する必要がない。
【００８５】
図７に、本実施形態の変形例において、複数種類の表示時刻テーブルが設けられる場合の説明図を示す。
【００８６】
例えば、本変形例において、第１〜第Ｍ（Ｍは２以上の整数）の表示時刻テーブルが設けられる。第１〜第Ｍの表示時刻テーブルの各表示時刻テーブルには、テーブルＩＤが付与される。そして各表示時刻テーブルは、テーブルＩＤによって識別される。各表示時刻テーブルの構成は、図２と同様である。
【００８７】
このとき、ヘッダ解析部１２は、ＰＴＳが検出される毎に、新規の表示時刻テーブルの先頭に、ＰＴＳに基づいて求められる表示時刻データを設定すると共に、ＰＴＳが検出されない限り、ＰＴＳ及び該パケットデータのペイロード部（ＳＥＩ及びＶＵＩ）に基づいて求められる表示時刻データを、順番に同じ表示時刻テーブルにフレーム単位に設定する。
【００８８】
そして、画像データ転送指示部１４が、複数種類の表示時刻テーブルの１つから読み出したデータがＥＯＴコード（所定の終了データ）であるとき、次の表示時刻テーブルの先頭から表示時刻データを読み出す。この表示時刻テーブルの読み出し順序は、予め決めても良い。
【００８９】
図８に、本変形例における画像データ転送指示部１４の処理例のフロー図を示す。
【００９０】
例えば表示制御装置１０が、図示しない中央演算処理装置（Central Processing Unit：ＣＰＵ)及びメモリを有し、該メモリに記憶されたプログラムに従って処理を実行するＣＰＵが、画像データ転送指示部１４の機能を実現することができる。このとき、タイマ部２２からの割り込み信号が受信されたときの割り込みハンドラとして、図８のフローを実行することができる。
【００９１】
まず、画像データ転送指示部１４（図示しないＣＰＵ）は、パケットデータが入力されたか否かを判別する（ステップＳ２００）。そして、パケットデータが入力されたとき（ステップＳ２００：Ｙ）、画像データ転送指示部１４は、表示すべきフレームのアドレスとして予め設定されたバッファ部２０のアドレスを指定し、転送コマンドを画像データ転送制御部１６に発行して画像データの転送指示を行う（ステップＳ２０１）。
【００９２】
その後、表示時刻テーブルのテーブル番号を指定するポインタをインクリメントして、次の表示時刻データを指定する（ステップＳ２０２）。そして、ステップＳ２０２でインクリメントされたポインタが指すテーブル番号の表示時刻データがＥＯＴであるか否かを判別する（ステップＳ２０３）。
【００９３】
そして、ポインタが指すテーブル番号の表示時刻データがＥＯＴであると判別されたとき（ステップＳ２０３：Ｙ）、画像データ転送指示部１４は、テーブルＩＤをインクリメントし（ステップＳ２０４）、テーブル番号を０に設定する（初期化する）（ステップＳ２０５）。
【００９４】
ステップＳ２０５の次、又はステップＳ２０３において、ポインタが指すテーブル番号の表示時刻データがＥＯＴではないと判別されたとき（ステップＳ２０３：Ｎ）、ステップＳ２０２でインクリメントされたポインタが指すテーブル番号の表示時刻データを、タイマ部２２の表示時刻設定レジスタ４０に設定し（ステップＳ２０６）、一連の処理を終了する（エンド）。
【００９５】
一方、ステップＳ２００において、パケットデータの入力が検出されないとき（ステップＳ２００：Ｎ）、次の割り込み信号の受信を待つために所定のタイマ値をタイマ部２２の表示時刻設定レジスタ４０に設定し（ステップＳ２０７）、一連の処理を終了する（エンド）。
【００９６】
次に、本変形例における表示時刻テーブルの生成処理についても具体的に説明する。以下では、パケットデータが、ＰＥＳ（Packetized Elementary Stream）パケットデータであり、表示時刻情報がＰＴＳ（Presentation Time Stamp）であるものとする。
【００９７】
図９に、本変形例における表示時刻テーブルの生成処理例のフロー図を示す。
【００９８】
例えば表示制御装置１０が、図示しないＣＰＵ及びメモリを有し、該メモリに記憶されたプログラムに従って処理を実行するＣＰＵが、ヘッダ解析部１２の機能を実現することができる。そして、ヘッダ解析部１２として機能するＣＰＵが、以下に示す処理に従って表示時刻テーブルを生成することができる。
【００９９】
図９において、図６と同一部分には同一符号を付し、適宜説明を省略する。図９に示すフローが図６に示すフローと異なる点は、ステップＳ１１０とステップＳ１１２との間にステップＳ２１０が挿入されている点である。
【０１００】
即ち、ＰＥＳＨにＰＴＳが検出されたとき（ステップＳ１１０：Ｙ）、ヘッダ解析部１２は、テーブルＩＤをインクリメントし（ステップＳ２１０）、このインクリメントされたテーブルＩＤに対応した新規の表示時刻テーブルの先頭に、ＰＴＳに対応した表示時刻データをフレーム番号と共に設定する（ステップＳ１１２）。そして、ヘッダ解析部１２は、この表示時刻テーブルのテーブル番号を指定するポインタをインクリメントして（ステップＳ１１３）、一連の処理を終了する（エンド）。
【０１０１】
本変形例においても、ストリームデータが入力されるたびに、以上のような処理を行うことで、ヘッダ解析部１２は、図７に示す表示時刻テーブルを生成することができる。なお、表示時刻テーブルの最終テーブル番号の表示時刻データとして、終了コードであるＥＯＴコードを公知の処理で挿入することが望ましい。
【０１０２】
ところで、「１セグメント放送」では、動き補償フレーム間予測を行う場合に参照すべきフレーム数を最大３フレームとしているため、「１セグメント放送」の映像デコーダに適用する場合、表示時刻テーブルの種類は、最大フレーム数とデコード処理用とで合計４フレーム分あればよい。従って、表示時刻テーブルの種類は４種類であれば、最小限の構成で、「１セグメント放送」の映像デコーダに適用できる。
【０１０３】
なお、本実施形態及び本変形例では、画像データ転送指示部１４が、タイマ部２２からの割り込み通知により表示時刻の到来を認識したが、これに限定されるものではない。例えば、画像データ転送指示部１４が、タイマ部２２をポーリングして、表示時刻の到来を認識するようにしてもよい。
【０１０４】
図１０に、本実施形態のタイマ部２２の他の構成例のブロック図を示す。
【０１０５】
図１０において図３と同一部分には同一符号を付し、適宜説明を省略する。図１０において、図３と異なる点は、割り込み発生部４６に代えてスデータスレジスタ５０が設けられている点である。
【０１０６】
即ち、コンパレータ４４は、カウンタ４２のカウント値と表示時刻設定レジスタ４０の設定値とを比較し、両者の値が一致したときに一致検出パルスをスデータスレジスタ５０に出力する。スデータスレジスタ５０は、コンパレータ４４からの一致検出パルスにより表示時刻到来フラグをセットする。なお、この表示時刻到来フラグは、表示時刻設定レジスタ４０への表示時刻データの設定時やスデータスレジスタ５０への読み出しアクセス時にリセットされる。
【０１０７】
そして、画像データ転送指示部１４は、該タイマ部２２をポーリングした結果、スデータスレジスタ５０の表示時刻到来フラグがセット状態になっていると検出されたことを条件に画像データ転送制御部１６に画像データの転送指示を行う。その後、画像データ転送指示部１４は、表示時刻テーブル記憶部１８に記憶された表示時刻テーブルの次の表示時刻データを、タイマ部２２の表示時刻設定レジスタ４０に設定し、次のポーリング動作を行うことになる。
【０１０８】
即ち、タイマ部２２は、計時を行う。そして、画像データ転送指示部１４が、表示時刻テーブルの表示時刻データの１つをタイマ部２２に設定した後、タイマ部２２をポーリングして表示時刻テーブルの表示時刻データにより表される表示時刻を経過したか否かを判別し、タイマ部２２の時刻が表示時刻を経過したと判別されたことを条件に画像データ転送制御部１６に画像データの転送指示を行う。
【０１０９】
２．  情報再生装置
次に、本実施形態における表示制御装置が適用される情報再生装置について説明する。本実施形態における情報再生装置は、地上デジタル放送の再生を可能とし、Ｈ．２６４／ＡＶＣ規格で符号化された映像データを復号することができる。
【０１１０】
２．１  １セグメント放送の概要
地上アナログ放送に代わって登場する地上デジタル放送では、画像及び音声の高品質化に加えて種々の新サービスの提供に期待が寄せられている。
【０１１１】
図１１に、地上デジタル放送のセグメントの概念の説明図を示す。
【０１１２】
地上デジタル放送では、予め割り当てられた周波数帯域を１４個のセグメントに分割し、そのうちの１３個のセグメントＳＥＧ１〜ＳＥＧ１３を使って放送が行われる。残り１個のセグメントは、ガードバンドとして用いられる。そして、放送を行うための１３個のセグメントのうちの１個のセグメントＳＥＧｍが、携帯端末向けの放送の周波数帯域に割り当てられる。
【０１１３】
１セグメント放送では、それぞれが符号化（圧縮処理）された映像データ、音声データ、その他のデータ（制御データ）が多重化されたトランスポートストリーム（Transport Stream：ＴＳ）が伝送される。より具体的には、ＴＳの各パケットにリードソロモン符号の誤り訂正用符号が付加された後、階層分割され、各階層において畳み込み符号化やキャリア変調が施される。そして、階層合成後に、周波数インターリーブ、時間インターリーブが行われ、受信側に必要なパイロット信号を付加してＯＦＤＭセグメントフレームが形成される。このＯＦＤＭセグメントフレームに対し、逆フーリエ変換演算が施されてＯＦＤＭ信号として伝送される。
【０１１４】
図１２に、ＴＳの説明図を示す。
【０１１５】
ＴＳは、図１２に示すように複数のＴＳパケット列で構成されている。各ＴＳパケットの長さは、１８８バイトに固定されている。各ＴＳパケットは、４バイトのＴＳヘッダ（TS Header：ＴＳＨ）と呼ばれるヘッダ情報が付加されており、ＴＳパケットの識別子となるＰＩＤ（Packet Identifier）を含む。１セグメント放送の番組は、ＰＩＤにより特定される。
【０１１６】
ＴＳパケットは、アダプテーションフィールドを含み、映像データ、音声データ等の同期再生の基準となる時刻情報であるＰＣＲ（Program Clock Reference）やダミーデータ
が埋め込まれる。ペイロードは、ＰＥＳ（Packetized Elementary Stream）パケットやセクションを生成するためのデータを含む。
【０１１７】
図１３に、ＰＥＳパケット及びセクションの説明図を示す。
【０１１８】
ＰＥＳパケット及びセクションのそれぞれは、１又は複数のＴＳパケットの各ＴＳパケットのペイロードにより構成される。ＰＥＳパケットは、ＰＥＳヘッダとペイロードとを含み、該ペイロードには、映像データ、音声データ又は字幕データがＥＳ（Elementary Stream）データとして設定される。セクションには、ＰＥＳパケットに設定される映像データ等の番組情報等が設定される。
【０１１９】
従って、ＴＳを受信すると、まずセクションに含まれる番組情報を解析し、放送される番組に対応するＰＩＤを特定する必要がある。そして、該ＰＩＤに対応する映像データ、音声データをＴＳから抽出し、抽出後の映像データ、音声データを再生することになる。      
【０１２０】
２．２  携帯端末
１セグメント放送の受信機能を有する携帯端末では、上記のようなパケットの解析等の処理が必要となる。即ち、このような携帯端末では、高い処理能力が要求される。そのため、携帯端末（広義には電子機器）としての従来の携帯電話機に、１セグメント放送の受信機能を付加する場合には、高い処理能力を有するプロセッサ等を更に追加する必要がある。
【０１２１】
図１４に、本実施形態の比較例におけるマルチメディア処理ＣＰＵを含む携帯電話機の構成例のブロック図を示す。
【０１２２】
この携帯電話機９００では、アンテナ９１０を介して受信された受信信号を復調して電話用ＣＰＵ９２０が着呼処理を行い、電話用ＣＰＵ９２０が発呼処理を行った信号が変調されてアンテナ９１０を介して送信される。電話用ＣＰＵ９２０は、メモリ９２２に格納されたプログラムを読み込んで着呼処理及び発呼処理を行うことができる。
【０１２３】
またアンテナ９３０を介して受信された受信信号から、チューナ９４０を介して希望信号が取り出されると、該希望信号をＯＦＤＭ信号として上記と逆の手順でＴＳが生成される。マルチメディア処理ＣＰＵ９５０は、生成されたＴＳからＴＳパケットを解析してＰＥＳパケット及びセクションを判別し、所望の番組のＴＳパケットから映像データ、音声データのデコード処理を行う。マルチメディア処理ＣＰＵ９５０は、メモリ９５２に格納されたプログラムを読み込んで上記のパケットの解析処理やデコード処理を行うことができる。表示パネル９６０は、デコード処理後の映像データに基づいて表示出力を行い、スピーカ９７０は、デコード処理後の音声データに基づいて音声出力を行う。
【０１２４】
このようにマルチメディア処理ＣＰＵ９５０として、非常に高い処理能力が必要となる。高い処理能力を有するプロセッサは、一般的に、動作周波数が高くなったり、回路規模が大きくなってしまう。
【０１２５】
ところで、１セグメント放送のビットレートを考慮すると、その帯域のほとんどが映像データや音声データの帯域となり、データ放送自体の帯域が狭くなると考えられる。従って、マルチメディア処理ＣＰＵで実現できる処理のうち、映像データや音声データの再生処理のみで済む場合もあるにもかかわらず、マルチメディア処理ＣＰＵを常に動作させる必要があり、消費電力の増大を招く。
【０１２６】
そこで、本実施形態では、映像データのデコード処理を行う映像デコーダと音声データのデコード処理を行う音声デコーダとを独立して設け、それぞれ独立にデコード処理を行わせることで、それぞれの処理能力として低いものを採用できる。更に、映像デコーダ及び音声データの一方の動作を適宜停止させて柔軟に低消費電力化を図ることができる。
【０１２７】
更には、映像デコーダ及び音声デコーダを並列動作させることができるため、各デコーダの処理能力を低くて済み、より低消費電力化及び低コスト化を実現できる。
【０１２８】
図１５に、本実施形態における情報再生装置を含む携帯電話機の構成例のブロック図を示す。なお図１５において、図１４と同一部分には同一符号を付し、適宜説明を省略する。
【０１２９】
携帯電話機１００は、ホストＣＰＵ（広義にはホスト）１１０、ＲＡＭ（Random Access Memory）１２０、ＲＯＭ（Read Only Memory）１３０、表示ドライバ１４０、ＤＡＣ（Digital-to-Analog Converter）１５０、画像処理ＩＣ（Integrated Circuit)（広義には情報再生装置）２００を含むことができる。更に携帯電話機１００は、アンテナ９１０、９３０、チューナ９４０、表示パネル９６０、スピーカ９７０を含む。
【０１３０】
ホストＣＰＵ１１０は、図１４の電話用ＣＰＵ９２０の機能を有すると共に、画像処理ＩＣ２００を制御する機能を有する。ホストＣＰＵ１１０は、ＲＡＭ１２０又はＲＯＭ１３０に格納されたプログラムを読み出し、図１４の電話用ＣＰＵ９２０の処理、画像処理ＩＣ２００を制御する処理を行う。この際、ホストＣＰＵ１１０は、ＲＡＭ１２０をワークエリアとして用いることができる。
【０１３１】
画像処理ＩＣ２００は、チューナ９４０からのＴＳから、映像データを生成するための映像用ＴＳパケット（第１のＴＳパケット）、音声データを生成するための音声用ＴＳパケット（第２のＴＳパケット）を抽出し、図示しない共有メモリにバッファリングする。そして画像処理ＩＣ２００は、互いに独立して動作停止制御が可能な映像デコーダ及び音声デコーダ（図示せず）を含み、映像デコーダ及び音声デコーダが、それぞれ映像用ＴＳパケット及び音声用ＴＳパケットをデコードして映像データ及び音声データを生成する。映像データ及び音声データは、同期しながら、それぞれ表示ドライバ１４０及びＤＡＣ１５０に供給される。ホストＣＰＵ１１０は、このような画像処理ＩＣ２００に対し、映像デコード処理及び音声デコード処理の処理開始を指示することができる。なおホストＣＰＵ１１０は、画像処理ＩＣ２００に対し、映像デコード処理及び音声デコード処理の少なくとも１つの処理開始を指示するようにしてもよい。
【０１３２】
表示ドライバ（広義には駆動回路）１４０は、映像データに基づいて表示パネル（広義には電気光学装置）９６０を駆動する。より具体的には、表示パネル９６０は、複数の走査線、複数のデータ線、各画素が各走査線及び各データ線により特定される複数の画素を有し、表示パネル９６０として液晶表示（Liquid Crystal Display）パネルを採用できる。表示ドライバ１４０は、複数の走査線を走査する走査ドライバの機能と、該映像データに基づいて複数のデータ線を駆動するデータドライバの機能とを有する。
【０１３３】
ＤＡＣ１５０は、デジタル信号である音声データをアナログ信号に変換し、スピーカ９７０に供給する。スピーカ９７０は、ＤＡＣ１５０からのアナログ信号に対応した音声出力を行う。
【０１３４】
２．３  情報再生装置
図１６に、本実施形態の情報再生装置としての図１５の画像処理ＩＣ２００の構成例のブロック図を示す。
【０１３５】
画像処理ＩＣ２００は、ＴＳ分離部（分離処理部）２１０と、メモリ（共有メモリ）２２０と、映像デコーダ２３０と、音声デコーダ２４０とを含む。また画像処理ＩＣ２００は、更に、画像データ転送制御部２５０と、チューナＩ／Ｆ（Interface）２６０と、ホストＩ／Ｆ２７０と、ドライバＩ／Ｆ２８０と、オーディオＩ／Ｆ２９０とを含む。
【０１３６】
ＴＳ分離部２１０は、映像データを生成するための映像用ＴＳパケット（第１のＴＳパケット）、音声データを生成するための音声用ＴＳパケット（第２のＴＳパケット）、映像用ＴＳパケット及び音声用ＴＳパケット以外のパケット（第３のＴＳパケット）を、ＴＳから抽出する。ＴＳ分離部２１０は、ＴＳから一旦抽出された第３のＴＳパケットを解析するホストＣＰＵ１１０の解析結果に基づいて、第１及び第２のＴＳパケットを抽出することができる。
【０１３７】
映像デコーダ２３０は、メモリ２２０の記憶領域のうち映像用ＴＳパケット専用に設けられた記憶領域から映像用ＴＳパケットを読み出し、該映像用ＴＳパケットに基づいて映像データを生成する映像デコード処理を行う。
【０１３８】
音声デコーダ２４０は、メモリ２２０の記憶領域のうち音声用ＴＳパケット専用に設けられた記憶領域から音声用ＴＳパケットを読み出し、該音声用ＴＳパケットに基づいて音声データを生成する音声デコード処理を行う。
【０１３９】
画像データ転送制御部２５０は、メモリ２２０から読み出された映像データにより表される画像の向きを回転させる回転処理や該画像のサイズを縮小又は拡大させるリサイズ処理を行う。回転処理後のデータやリサイズ処理後のデータは、ドライバＩ／Ｆ２８０に供給される。
【０１４０】
チューナＩ／Ｆ２６０は、チューナ９４０とのインタフェース処理を行う。より具体的には、チューナＩ／Ｆ２６０は、チューナ９４０からのＴＳを受信する制御を行う。チューナＩ／Ｆ２６０は、ＴＳ分離部２１０に接続される。
【０１４１】
ホストＩ／Ｆ２７０は、ホストＣＰＵ１１０とのインタフェース処理を行う。より具体的には、ホストＩ／Ｆ２７０は、ホストＣＰＵ１１０との間のデータの送受信の制御を行う。ホストＩ／Ｆ２７０は、ＴＳ分離部２１０、メモリ２２０、画像データ転送制御部２５０、オーディオＩ／Ｆ２９０に接続される。
【０１４２】
ドライバＩ／Ｆ２８０は、画像データ転送制御部２５０を介してメモリ２２０から所定の周期で映像データを読み出し、該映像データを表示ドライバ１４０に対して供給する。ドライバＩ／Ｆ２８０は、表示ドライバ１４０に対して映像データを送信するためのインタフェース処理を行う。
【０１４３】
オーディオＩ／Ｆ２９０は、メモリ２２０から所定の周期で音声データを読み出し、該音声データをＤＡＣ１５０に対して供給する。オーディオＩ／Ｆ２９０は、ＤＡＣ１５０に対して音声データを送信するためのインタフェース処理を行う。
【０１４４】
このような画像処理ＩＣ２００では、ＴＳ分離部２１０により、チューナ９４０からのＴＳからＴＳパケットが抽出される。ＴＳパケットは、共有メモリとしてのメモリ２２０の予め割り当てられた記憶領域に格納される。そして、映像デコーダ２３０及び音声デコーダ２４０が、それぞれメモリ２２０に割り当てられた専用の記憶領域からＴＳパケットを読み出して、映像データ及び音声データを生成し、互いに同期した映像データ及び音声データを表示ドライバ１４０及びＤＡＣ１５０に対して供給することができる。
【０１４５】
図１７に、図１６の画像処理ＩＣ２００の動作説明図を示す。
【０１４６】
図１７において、図１６と同一部分には同一符号を付し、適宜説明を省略する。
【０１４７】
メモリ２２０は、第１〜第８の記憶領域ＡＲ１〜ＡＲ８を有し、各記憶領域が予め割り当てられている。
【０１４８】
第１の記憶領域ＡＲ１には、映像用ＴＳパケット専用の記憶領域として、ＴＳ分離部２１０によって抽出された映像用ＴＳパケット（第１のＴＳパケット）が格納される。第２の記憶領域ＡＲ２には、音声用ＴＳパケット専用の記憶領域として、ＴＳ分離部２１０によって抽出された音声用ＴＳパケット（第２のＴＳパケット）が格納される。第３の記憶領域ＡＲ３には、ＴＳ分離部２１０によって抽出されたＴＳパケットのうち映像用ＴＳパケット及び音声用ＴＳパケットを除くＴＳパケット（第３のＴＳパケット）が格納される。
【０１４９】
第４の記憶領域ＡＲ４には、映像用ＥＳデータ専用の記憶領域として、映像デコーダ２３０によって生成された映像用ＥＳデータが格納される。第５の記憶領域ＡＲ５には、音声用ＥＳデータ専用の記憶領域として、音声デコーダ２４０によって生成された音声用ＥＳデータが格納される。
【０１５０】
第６の記憶領域ＡＲ６には、ホストＣＰＵ１１０によって生成されるＴＳが、ＴＳＲＡＷデータとして格納される。ＴＳＲＡＷデータは、チューナ９４０からのＴＳに替わってホストＣＰＵ１１０により設定される。そして、ＴＳ分離部２１０は、ＴＳＲＡＷデータとして設定されたＴＳから、映像用ＴＳパケット、音声用ＴＳパケット、その他のＴＳパケットが抽出されるようになっている。
【０１５１】
第７の記憶領域ＡＲ７（広義には出力画像データ記憶領域）には、映像デコーダ２３０によるデコード処理後の映像データが格納される。第７の記憶領域ＡＲ７に格納された映像データは、画像データ転送制御部２５０によって読み出され、表示パネル９６０による映像出力に供される。第８の記憶領域ＡＲ８には、音声デコーダ２４０によるデコード処理後の音声データが格納される。第８の記憶領域ＡＲ８に格納された音声データは、スピーカ９７０による音声出力に供される。
【０１５２】
映像デコーダ２３０は、ヘッダ解析部２３２と、映像デコード処理部２３４とを含む。ヘッダ解析部２３２は、第１の記憶領域ＡＲ１から映像用ＴＳパケットを読み出し、該映像用ＴＳパケットのＴＳヘッダを解析してＰＥＳパケット（第１のＰＥＳパケット）を生成した後、そのＰＥＳヘッダを削除する処理を行ってそのペイロード部を映像用ＥＳデータとしてメモリ２２０の第４の記憶領域ＡＲ４に格納する。
【０１５３】
そして、ヘッダ解析部２３２は、上述のように本実施形態又はその変形例における表示時刻テーブルを生成する。そして、ヘッダ解析部２３２を含む映像デコーダ２３０が、該表示時刻テーブルに従って画像データ転送制御部２５０に対して画像データの転送指示を行う。
【０１５４】
映像デコード処理部２３４は、第４の記憶領域ＡＲ４から映像用ＥＳデータを読み出し、Ｈ．２６４／ＡＶＣ（Advanced Video Coding）の規格に従ったデコード処理（広義には映像デコード処理）を行って生成される映像データを第７の記憶領域ＡＲ７（出力画像データ記憶領域）に書き込む。
【０１５５】
音声デコーダ２４０は、ヘッダ削除処理部２４２と、音声デコード処理部２４４とを含む。ヘッダ削除処理部２４２は、第２の記憶領域ＡＲ２から音声用ＴＳパケットを読み出し、該音声用ＴＳパケットのＴＳヘッダを解析してＰＥＳパケット（第２のＰＥＳパケット）を生成した後、そのＰＥＳヘッダを削除する処理を行ってそのペイロード部を音声用ＥＳデータとしてメモリ２２０の第５の記憶領域ＡＲ５に格納する。音声デコード処理部２４４は、第５の記憶領域ＡＲ５から音声用ＥＳデータを読み出し、ＭＰＥＧ−２ＡＡＣ（Advanced Audio Coding）の規格に従ったデコード処理（広義には音声デコード処理）
を行って生成される音声データを第８の記憶領域ＡＲ８に書き込む。
【０１５６】
そして、映像デコーダ２３０が、第１の記憶領域ＡＲ１から映像用ＴＳパケット（第１のＴＳパケット）を、音声デコーダ２４０とは独立して読み出し、該映像用ＴＳパケットに基づいて上記の映像デコード処理を行う。また音声デコーダ２４０が、第２の記憶領域ＡＲ２から音声用ＴＳパケット（第２のＴＳパケット）を、映像デコーダ２３０とは独立して読み出し、該音声用ＴＳパケットに基づいて上記の音声デコード処理を行う。こうすることで、映像と音声とを同期させて出力させる場合には映像デコーダ２３０及び音声デコーダ２４０を動作させることができる一方、映像のみを出力させる場合には映像デコーダ２３０のみを動作させて音声デコーダ２４０の動作を停止させることができる。また音声のみを出力させる場合には音声デコーダ２４０のみを動作させて映像デコーダ２３０の動作を停止させることができる。
【０１５７】
ホストＣＰＵ１１０は、第３の記憶領域ＡＲ３に格納されたその他のＴＳパケット（第３のＴＳパケット）を読み出し、該ＴＳパケットからセクションを生成する。そして該セクションに含まれる各種テーブル情報を解析する。ホストＣＰＵ１１０は、その解析結果をメモリ２２０の所定の記憶領域に設定すると共にＴＳ分離部２１０に対し制御情報として指定する。それ以降、ＴＳ分離部２１０は、チューナ９４０からのＴＳを該制御情報に従ってＴＳパケットを抽出する。一方、ホストＣＰＵ１１０は、映像デコーダ２３０及び音声デコーダ２４０に対して、それぞれ別個に起動コマンドを発行することができる。映像デコーダ２３０及び音声デコーダ２４０は、それぞれ独立してメモリ２２０にアクセスしてホストＣＰＵ１１０の解析結果を読み出し、該解析結果に対応したデコード処理を行う。
【０１５８】
図１７において、ヘッダ解析部２３２は本実施形態又は本変形例におけるヘッダ解析部１２の機能を実現する。また映像デコーダ２３０が、画像データ転送指示部１４の機能を実現する。ＴＳ分離部２１０が、タイマ部２２を含むことができる。画像データ転送制御部２５０が本実施形態又は本変形例における画像データ転送制御部１６の機能を実現する。またメモリ２２０が、表示時刻テーブル記憶部１８及びバッファ部２０の機能を実現する。特に、メモリ２２０の第７の記憶領域ＡＲ７がバッファ部２０の機能を実現する。
【０１５９】
２．３．１  再生動作
次に、本実施形態における情報再生装置としての画像処理ＩＣ２００において、ＴＳに多重化された映像データ又は音声データを再生する場合の動作について説明する。
【０１６０】
図１８に、ホストＣＰＵ１１０による再生処理の動作例のフロー図を示す。ホストＣＰＵ１１０は、ＲＡＭ１２０又はＲＯＭ１３０に格納されたプログラムを読み出し、該プログラムに対応した処理を実行することで図１８に示す処理を行うことができるようになっている。
【０１６１】
まずホストＣＰＵ１１０は、放送受信開始処理を行う（ステップＳ１０）。これによって、ＴＳとして受信された複数の番組のうち所望の番組の映像データ又は音声データをＴＳから抽出することができる。そして、ホストＣＰＵ１１０は、画像処理ＩＣ２００の映像デコーダ２３０及び音声デコーダ２４０の少なくとも１つを起動させる。
【０１６２】
その後、ホストＣＰＵ１１０は、映像及び音声の再生を行う場合には映像デコーダ２３０及び音声デコーダ２４０によりデコード処理を行わせる。或いはホストＣＰＵ１１０は、映像のみの再生を行う場合には音声デコーダ２４０の動作を停止させて映像デコーダ２３０によりデコード処理を行わせる。或いはまた、ホストＣＰＵ１１０は、音声のみの再生を行う場合には映像デコーダ２３０の動作を停止させて音声デコーダ２４０によりデコード処理を行わせる（ステップＳ１１）。
【０１６３】
次に、ホストＣＰＵ１１０は、放送受信終了処理を行い（ステップＳ１２）、一連の処理を終了する（エンド）。これによって、ホストＣＰＵ１１０は、画像処理ＩＣ２００の各部の動作を停止させる。
【０１６４】
２．３．１．１  放送受信開始処理
続いて、図１８に示す放送受信開始処理の処理例について説明する。ここでは、映像及び音声の再生を行う場合について説明する。
【０１６５】
図１９に、図１８の放送受信開始処理の動作例のフロー図を示す。ホストＣＰＵ１１０は、ＲＡＭ１２０又はＲＯＭ１３０に格納されたプログラムを読み出し、該プログラムに対応した処理を実行することで図１９に示す処理を行うことができるようになっている。
【０１６６】
まずホストＣＰＵ１１０は、画像処理ＩＣ２００の映像デコーダ２３０、音声デコーダ２４０を起動する（ステップＳ２０）。その後、ホストＣＰＵ１１０は、チューナ９４０を初期化すると共に所与の動作情報を設定する（ステップＳ２１）。そしてホストＣＰＵ１１０は、ＤＡＣ１５０に対しても初期化を行って所与の動作情報を設定する（ステップＳ２２）。
【０１６７】
その後ホストＣＰＵ１１０は、ＴＳの受信を監視する（ステップＳ２３：Ｎ）。ＴＳの受信が開始されると、画像処理ＩＣ２００では、ＴＳ分離部２１０が、上述のようにＴＳから映像用ＴＳパケット、音声用ＴＳパケット及びそれ以外のＴＳパケットに分離し、分離されたＴＳパケットは、専用に設けられたメモリ２２０の記憶領域に格納される。例えば画像処理ＩＣ２００のメモリ２２０における第３の記憶領域ＡＲ３にＴＳパケットが格納されたことを条件に発生する割り込み信号により、ホストＣＰＵ１１０はＴＳの受信を検出できる。或いはホストＣＰＵ１１０が、周期的にメモリ２２０の第３の記憶領域ＡＲ３をアクセスすることで、ＴＳパケットの書き込みが行われた否かを判断して、ＴＳの受信を判別できる。
【０１６８】
このようにしてＴＳの受信が検出されたとき（ステップＳ２３：Ｙ）、ホストＣＰＵ１１０は、第３の記憶領域ＡＲ３に記憶されたＴＳパケットを読み出してセクションを生成する。そして、セクションに含まれるＰＳＩ（Program Specific Information：番組特定情報）／ＳＩ（Service Information：番組配列情報）を解析する（ステップＳ２４）。
このＰＳＩ／ＳＩは、ＭＰＥＧ−２システム（ISO/IEC 13818-1）にて規定されている。
【０１６９】
ＰＳＩ／ＳＩは、ＮＩＴ（Network Information Table：ネットワーク情報テーブル）
やＰＭＴ（Program Map Table：番組対応テーブル）を含む。ＮＩＴは、例えばどの放送
局からのＴＳかを特定するためのネットワーク識別子、ＰＭＴを特定するためのサービス識別子、放送の種類を示すサービスタイプ識別子等を含む。ＰＭＴには、例えばＴＳにおいて多重化される映像用ＴＳパケットのＰＩＤと音声用ＴＳパケットのＰＩＤが設定される。
【０１７０】
従って、ホストＣＰＵ１１０は、ＰＳＩ／ＳＩからＰＭＴを特定するためのサービス識別子を抽出し、該サービス識別子に基づき、受信したＴＳの映像用ＴＳパケット及び音声用ＴＳパケットのＰＩＤを特定できる（ステップＳ２５）。そして、携帯端末のユーザに選択させた番組に対応するＰＩＤ、若しくは予め決められた番組に対応するＰＩＤを、ホストＣＰＵ１１０が、映像デコーダ２３０及び音声デコーダ２４０に参照できるようにメモリ２２０の所定の記憶領域（例えば第３の記憶領域ＡＲ３）に設定し（ステップＳ２６）、一連の処理を終了する（エンド）。
【０１７１】
こうすることで、映像デコーダ２３０及び音声デコーダ２４０は、メモリ２２０に設定されたＰＩＤを参照しながら、映像用ＴＳパケット及び音声用ＴＳパケットに対してデコード処理を行うことができる。
【０１７２】
なおホストＣＰＵ１１０は、例えばＰＭＴを特定するためのサービス識別子に対応する情報を、画像処理ＩＣ２００のＴＳ分離部２１０に設定する。こうすることで、ＴＳ分離部２１０は、所定の時間間隔を置いて周期的に受信されるセクションを判別し、上記のサービス識別子に対応したＰＭＴを解析し、該ＰＭＴにより特定される映像用ＴＳパケット及び音声用ＴＳパケットとそれ以外のＴＳパケットを抽出してメモリ２２０に格納していく。
【０１７３】
図２０に、図１６及び図１７の画像処理ＩＣ２００の放送受信開始処理における動作説明図を示す。図２０において、図１６又は図１７と同一部分には同一符号を付し、適宜説明を省略する。
【０１７４】
なお図２０において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１７５】
まずチューナ９４０からＴＳが入力される（ＳＱ１）とＴＳ分離部２１０は、ＰＳＩ／ＳＩが含まれるＴＳパケットをメモリ２２０に格納する（ＳＱ２）。このとき、ＴＳ分離部２１０は、該ＴＳパケットのＰＳＩ／ＳＩ自体を抽出してメモリ２２０に格納することができる。更にＴＳ分離部２１０は、ＰＳＩ／ＳＩからＮＩＴを抽出してメモリ２２０に格納することができる。
【０１７６】
ホストＣＰＵ１１０は、ＰＳＩ／ＳＩ、ＮＩＴ、ＰＭＴを読み出して（ＳＱ３）、これらを解析し、デコード処理対象の番組に対応するＰＩＤを特定する。そしてホストＣＰＵ１１０は、サービス識別子に対応する情報又はデコード処理対象の番組に対応するＰＩＤを、ＴＳ分離部２１０に設定する（ＳＱ４）。なおホストＣＰＵ１１０は、ＰＩＤを、メモリ２２０の所定の記憶領域にも設定し、映像デコーダ２３０及び音声デコーダ２４０のデコード処理の際に参照させる。
【０１７７】
ＴＳ分離部２１０は、設定されたＰＩＤに基づいてＴＳから映像用ＴＳパケット及び音声用ＴＳパケットを抽出し、それぞれ第１及び第２の記憶領域ＡＲ１、ＡＲ２に書き込む（ＳＱ５）。
【０１７８】
その後、ホストＣＰＵ１１０によって起動された映像デコーダ２３０及び音声デコーダ２４０は、第１及び第２の記憶領域ＡＲ１、ＡＲ２から映像用ＴＳパケット及び音声用ＴＳパケットを順次読み出して（ＳＱ６）、映像デコード処理及び音声デコード処理を行う。
【０１７９】
２．３．１．２  放送受信終了処理
次に、図１８に示す放送受信終了処理の動作例について説明する。ここでは、映像及び音声の再生を行う場合について説明する。
【０１８０】
図２１に、図１８の放送受信終了処理の処理例のフロー図を示す。ホストＣＰＵ１１０は、ＲＡＭ１２０又はＲＯＭ１３０に格納されたプログラムを読み出し、該プログラムに対応した処理を実行することで図２１に示す処理を行うことができるようになっている。
【０１８１】
まずホストＣＰＵ１１０は、画像処理ＩＣ２００の映像デコーダ２３０、音声デコーダ２４０を停止させる（ステップＳ３０）。これは、例えばホストＣＰＵ１１０から画像処理ＩＣ２００に対し制御コマンドを発行し、画像処理ＩＣ２００が該制御コマンドのデコード結果を用いて映像デコーダ２３０、音声デコーダ２４０を停止させることができる。
【０１８２】
その後、ホストＣＰＵ１１０は、同様にＴＳ分離部２１０を停止させる（ステップＳ３１）。そして、ホストＣＰＵ１１０は、チューナ９４０を停止させる（ステップＳ３２）。
【０１８３】
図２２に、図１６及び図１７の画像処理ＩＣ２００の放送受信終了処理における動作説明図を示す。図２２において、図２０と同一部分には同一符号を付し、適宜説明を省略する。
【０１８４】
まずホストＣＰＵ１１０が、画像データ転送制御部２５０の動作を停止させる制御を行い、表示ドライバ１４０への映像データの供給を停止させる（ＳＱ１０）。次に、ホストＣＰＵ１１０が、映像デコーダ２３０及び音声デコーダ２４０の動作を停止させ（ＳＱ１１）、その後ＴＳ分離部２１０、チューナ９４０の順に動作を停止させていく（ＳＱ１２、ＳＱ１３）。
【０１８５】
２．３．１．３  再生処理
次に、映像データの再生処理を行う映像デコーダ２３０の動作例について説明する。
【０１８６】
図２３に、映像デコーダ２３０の動作例のフロー図を示す。
【０１８７】
映像デコーダ２３０は、ホストＣＰＵ１１０によって起動されると、例えばメモリ２２０の所定の記憶領域に格納されたプログラムを読み出し、該プログラムに対応した処理を実行することで図２３に示す処理を行うことができるようになっている。即ち、映像デコーダ２３０はＣＰＵ（中央演算処理装置）を含み、画像処理ＩＣ２００（情報再生装置）の初期化処理後に、画像処理ＩＣ２００の外部から、ＣＰＵに映像デコード処理を実現するためのプログラムが読み込まれ、該ＣＰＵが映像デコード処理を実現することができる。なお、映像デコーダ２３０の処理の少なくとも一部が、組み合わせ回路や論理回路等のハードウェアによって行われてもよい。
【０１８８】
なお、映像デコーダ２３０及び音声デコーダ２４０のうち少なくとも１つが、ＣＰＵを含み、画像処理ＩＣ２００の初期化処理後に、画像処理ＩＣ２００の外部から、ＣＰＵに各デコード処理を実現するためのプログラムが読み込まれるようにしてもよい。
【０１８９】
まず、映像デコーダ２３０は、映像用ＴＳバッファとして設けられた第１の記憶領域ＡＲ１がエンプティ状態か否かを判別する（ステップＳ３０）。第１の記憶領域ＡＲ１から読み出されるべき映像用ＴＳパケットがない場合、エンプティ状態となる。
【０１９０】
ステップＳ３０において映像用ＴＳバッファである第１の記憶領域ＡＲ１がエンプティ状態でないと判別されたとき（ステップＳ３０：Ｎ）、映像デコーダ２３０は、更に映像用ＥＳバッファとして設けられた第４の記憶領域ＡＲ４がフル状態か否かを判別する（ステップＳ３１）。これ以上映像用ＥＳデータを第４の記憶領域ＡＲ４に格納できない場合、フル状態となる。
【０１９１】
ステップＳ３１において映像用ＥＳバッファである第４の記憶領域ＡＲ４がフル状態でないと判別されたとき（ステップＳ３１：Ｎ）、映像デコーダ２３０は、第１の記憶領域ＡＲ１から映像用ＴＳパケットを読み出し、図１９のステップＳ２６においてホストＣＰＵ１１０により特定されたＰＩＤ（指定ＰＩＤ）か否かを検出する（ステップＳ３２）。
【０１９２】
ステップＳ３２において、映像用ＴＳパケットのＰＩＤが指定ＰＩＤであると検出されたとき（ステップＳ３２：Ｙ）、映像デコーダ２３０は、ＴＳヘッダ、ＰＥＳヘッダの解析を行い（ステップＳ３３）、映像用ＥＳデータを映像用ＥＳバッファとして設けられた第４の記憶領域ＡＲ４に格納する（ステップＳ３４）。
【０１９３】
その後、映像デコーダ２３０は、映像用ＴＳバッファである第１の記憶領域ＡＲ１の読み出しアドレスを特定するための読み出しポインタを更新し（ステップＳ３５）、ステップＳ３０に戻る（リターン）。
【０１９４】
なお、ステップＳ３２において映像用ＴＳパケットのＰＩＤが指定ＰＩＤではないと検出されたとき（ステップＳ３２：Ｎ）、ステップＳ３５に進む。また、ステップＳ３０において映像用ＴＳバッファである第１の記憶領域ＡＲ１がエンプティ状態であると判別されたとき（ステップＳ３０：Ｙ）、又はステップＳ３１において映像用ＥＳバッファである第４の記憶領域ＡＲ４がフル状態であると判別されたとき（ステップＳ３１：Ｙ）、ステップＳ３０に戻る（リターン）。
【０１９５】
こうして第４の記憶領域ＡＲ４に格納された映像用ＥＳデータは、映像デコーダ２３０により、Ｈ．２６４／ＡＶＣの規格に従ったデコード処理が行われて、映像データとして第７の記憶領域ＡＲ７（図１７参照）に書き込まれる。
【０１９６】
図２４に、図１６及び図１７の画像処理ＩＣ２００の映像デコーダの動作説明図を示す。図２４において、図２０と同一部分には同一符号を付し、適宜説明を省略する。
【０１９７】
なお図２４において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１９８】
まず図１９に示すようにホストＣＰＵ１１０によりデコード処理対象の番組に対応するＰＩＤがＴＳ分離部２１０に設定される（ＳＱ２０）。チューナ９４０からＴＳが入力されたとき（ＳＱ２１）、ＴＳ分離部２１０は、チューナ９４０からのＴＳから映像用ＴＳパケット、音声用ＴＳパケット及びそれ以外のＴＳパケットをそれぞれ分離する（ＳＱ２２）。ＴＳ分離部２１０によって分離された映像用ＴＳパケットは、第１の記憶領域ＡＲ１に格納される。ＴＳ分離部２１０によって分離された音声用ＴＳパケットは、第２の記憶領域ＡＲ２に格納される。ＴＳ分離部２１０によって分離された映像用ＴＳパケット及び音声用ＴＳパケット以外のＴＳパケットは、ＰＳＩ／ＳＩとして第３の記憶領域ＡＲ３に格納される。この際、ＴＳ分離部２１０は、ＰＳＩ／ＳＩの中のＮＩＴ、ＰＭＴを抽出して第３の記憶領域ＡＲ３に格納する。
【０１９９】
次にホストＣＰＵ１１０によって起動された映像デコーダ２３０は、第１の記憶領域ＡＲ１から映像用ＴＳパケットを読み出し（ＳＱ２３）、映像用ＥＳデータを生成し、該映像用ＥＳデータを第４の記憶領域ＡＲ４に格納する（ＳＱ２４）。
【０２００】
その後、映像デコーダ２３０は、第４の記憶領域ＡＲ４から映像用ＥＳデータを読み出して（ＳＱ２５）、Ｈ．２６４／ＡＶＣの規格に従ったデコード処理を行う。図２４では、デコード処理後の映像データが画像データ転送制御部２５０に直接供給されている（ＳＱ２６）が、例えばデコード処理後の映像データを、一旦、メモリ２２０の所定の記憶領域に書き戻し、その後、音声データの出力タイミングと同期を取りながら画像データ転送制御部２５０に供給することが望ましい。
【０２０１】
こうして画像データ転送制御部２５０に供給された映像データに基づいて、表示ドライバ１４０が表示パネルを駆動する（ＳＱ２７）。
【０２０２】
続いて、音声データの再生処理を行う音声デコーダ２４０の動作例について説明する。
【０２０３】
図２５に、音声デコーダ２４０の動作例のフロー図を示す。
【０２０４】
音声デコーダ２４０は、ホストＣＰＵ１１０によって起動されると、例えばメモリ２２０の所定の記憶領域に格納されたプログラムを読み出し、該プログラムに対応した処理を実行することで図２５に示す処理を行うことができるようになっている。即ち、音声デコーダ２４０はＣＰＵ（中央演算処理装置）を含み、画像処理ＩＣ２００（情報再生装置）の初期化処理後に、画像処理ＩＣ２００の外部から、ＣＰＵに音声デコード処理を実現するためのプログラムが読み込まれ、該ＣＰＵが音声デコード処理を実現することができる。なお、音声デコーダ２４０の処理の少なくとも一部が、組み合わせ回路や論理回路等のハードウェアによって行われてもよい。
【０２０５】
まず、音声デコーダ２４０は、音声用ＴＳバッファとして設けられた第２の記憶領域ＡＲ２がエンプティ状態か否かを判別する（ステップＳ４０）。第２の記憶領域ＡＲ２から読み出されるべき音声用ＴＳパケットがない場合、エンプティ状態となる。
【０２０６】
ステップＳ４０において音声用ＴＳバッファである第２の記憶領域ＡＲ２がエンプティ状態でないと判別されたとき（ステップＳ４０：Ｎ）、音声デコーダ２４０は、更に音声用ＥＳバッファとして設けられた第５の記憶領域ＡＲ５がフル状態か否かを判別する（ステップＳ４１）。これ以上音声用ＥＳデータを第５の記憶領域ＡＲ５に格納できない場合、フル状態となる。
【０２０７】
ステップＳ４１において音声用ＥＳバッファである第５の記憶領域ＡＲ５がフル状態でないと判別されたとき（ステップＳ４１：Ｎ）、音声デコーダ２４０は、第２の記憶領域ＡＲ２から音声用ＴＳパケットを読み出し、図１９のステップＳ２６においてホストＣＰＵ１１０により特定されたＰＩＤ（指定ＰＩＤ）か否かを検出する（ステップＳ４２）。
【０２０８】
ステップＳ４２において、音声用ＴＳパケットのＰＩＤが指定ＰＩＤであると検出されたとき（ステップＳ４２：Ｙ）、音声デコーダ２４０は、ＴＳヘッダ、ＰＥＳヘッダの解析を行い（ステップＳ４３）、音声用ＥＳデータを音声用ＥＳバッファとして設けられた第５の記憶領域ＡＲ５に格納する（ステップＳ３４）。
【０２０９】
その後、音声デコーダ２４０は、音声用ＴＳバッファである第２の記憶領域ＡＲ２の読み出しアドレスを特定するための読み出しポインタを更新し（ステップＳ４５）、ステップＳ４０に戻る（リターン）。
【０２１０】
なお、ステップＳ４２において、音声用ＴＳパケットのＰＩＤが指定ＰＩＤではないと検出されたとき（ステップＳ４２：Ｎ）、ステップＳ４５に進む。また、ステップＳ４０において音声用ＴＳバッファである第２の記憶領域ＡＲ２がエンプティ状態であると判別されたとき（ステップＳ４０：Ｙ）、又はステップＳ４１において音声用ＥＳバッファである第５の記憶領域ＡＲ５がフル状態であると判別されたとき（ステップＳ４１：Ｙ）、ステップＳ４０に戻る（リターン）。
【０２１１】
こうして第５の記憶領域ＡＲ５に格納された音声用ＥＳデータは、音声デコーダ２４０により、ＭＰＥＧ−２ＡＡＣの規格に従ったデコード処理が行われて、音声データとして第８の記憶領域ＡＲ８（図１７参照）に書き込まれる。
【０２１２】
図２６に、図１６及び図１７の画像処理ＩＣ２００の音声デコーダの動作説明図を示す。図２６において、図２０と同一部分には同一符号を付し、適宜説明を省略する。
【０２１３】
なお図２６において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０２１４】
まず図１９に示すようにホストＣＰＵ１１０によりデコード処理対象の番組に対応するＰＩＤがＴＳ分離部２１０に設定される（ＳＱ３０）。チューナ９４０からＴＳが入力されたとき（ＳＱ３１）、ＴＳ分離部２１０は、チューナ９４０からのＴＳから映像用ＴＳパケット、音声用ＴＳパケット及びそれ以外のＴＳパケットをそれぞれ分離する（ＳＱ３２）。ＴＳ分離部２１０によって分離された映像用ＴＳパケットは、第１の記憶領域ＡＲ１に格納される。ＴＳ分離部２１０によって分離された音声用ＴＳパケットは、第２の記憶領域ＡＲ２に格納される。ＴＳ分離部２１０によって分離された映像用ＴＳパケット及び音声用ＴＳパケット以外のＴＳパケットは、ＰＳＩ／ＳＩとして第３の記憶領域ＡＲ３に格納される。更にＴＳ分離部２１０は、ＰＳＩ／ＳＩの中のＮＩＴ、ＰＭＴを抽出して第３の記憶領域ＡＲ３の所定の記憶領域に書き込むことができる。
【０２１５】
次にホストＣＰＵ１１０によって起動された音声デコーダ２４０は、第２の記憶領域ＡＲ２から音声用ＴＳパケットを読み出し（ＳＱ３３）、音声用ＥＳデータを生成し、該音声用ＥＳデータを第５の記憶領域ＡＲ５に格納する（ＳＱ３４）。
【０２１６】
その後、音声デコーダ２４０は、第５の記憶領域ＡＲ５から音声用ＥＳデータを読み出して（ＳＱ３５）、ＭＰＥＧ−２ＡＡＣの規格に従ったデコード処理を行う。図２６では、デコード処理後の音声データがＤＡＣ１５０に直接供給されている（ＳＱ３６）が、例えばデコード処理後の音声データを、一旦、メモリ２２０の所定の記憶領域に書き戻し、その後、映像データの出力タイミングと同期を取りながらＤＡＣ１５０に供給することが望ましい。
【０２１７】
以上のような音声デコーダ２４０の動作は、映像デコーダ２３０の動作とは独立して行われる。
【０２１８】
なお、本発明は上述した実施の形態に限定されるものではなく、本発明の要旨の範囲内で種々の変形実施が可能である。なお上記の実施形態又はその変形例では、地上デジタル放送に適用可能な例について説明したが、本発明は地上デジタル放送に適用可能なものに限定されるものではない。
【０２１９】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０２２０】
【図１】本実施形態における表示制御装置の構成例のブロック図。
【図２】本実施形態における表示時刻テーブルの説明図。
【図３】図１のタイマ部の構成例のブロック図。
【図４】画像データ転送指示部の処理例のフロー図。
【図５】図５（Ａ）、図５（Ｂ）はＰＥＳパケットの説明図。
【図６】本実施形態における表示時刻テーブルの生成処理例のフロー図。
【図７】本実施形態の変形例における表示時刻テーブル説明図。
【図８】本変形例における画像データ転送指示部の処理例のフロー図。
【図９】本変形例における表示時刻テーブルの生成処理例のフロー図。
【図１０】本実施形態のタイマ部の他の構成例のブロック図。
【図１１】地上デジタル放送のセグメントの概念の説明図。
【図１２】ＴＳの説明図。
【図１３】ＰＥＳパケット及びセクションの説明図。
【図１４】本実施形態の比較例におけるマルチメディア処理ＣＰＵを含む携帯電話機の構成例のブロック図。
【図１５】本実施形態における情報再生装置を含む携帯電話機の構成例のブロック図。
【図１６】本実施形態の情報再生装置としての図１５の画像処理ＩＣの構成例のブロック図。
【図１７】図１６の画像処理ＩＣの動作説明図。
【図１８】ホストＣＰＵによる再生処理の動作例のフロー図。
【図１９】図１８の放送受信開始処理の動作例のフロー図。
【図２０】図１６及び図１７の画像処理ＩＣの放送受信開始処理における動作説明図。
【図２１】図１８の放送受信終了処理の処理例のフロー図。
【図２２】図１６及び図１７の画像処理ＩＣの放送受信終了処理における動作説明図。
【図２３】映像デコーダの動作例のフロー図。
【図２４】図１６及び図１７の画像処理ＩＣの映像デコーダの動作説明図。
【図２５】音声デコーダの動作例のフロー図。
【図２６】図１６及び図１７の画像処理ＩＣの音声デコーダの動作説明図。
【符号の説明】
【０２２１】
１０  表示制御装置、  １２  ヘッダ解析部、  １４  画像データ転送指示部、
１６、２５０  画像データ転送制御部、  １８  表示時刻テーブル記憶部、
２０  バッファ部、  ２２  タイマ部、  ３０  表示部、
４０  表示時刻設定レジスタ、  ４２  カウンタ、  ４４  コンパレータ、
４６  割り込み発生部、  ５０  スデータスレジスタ、  １１０  ホストＣＰＵ、
２００  画像処理ＩＣ、  ２１０  ＴＳ分離部、  ２２０  メモリ、
２３０  映像デコーダ、  ２３２  ヘッダ解析部、  ２３４  映像デコード処理部、
２４０  音声デコーダ、  ２４２  ヘッダ削除処理部、  ２４４  音声デコード処理部、
２６０  チューナＩ／Ｆ、  ２７０  ホストＩ／Ｆ、  ２８０  ドライバＩ／Ｆ、
２９０  オーディオＩ／Ｆ、  ９４０  チューナ
【図１】
2007251542.tif 000003
【図２】
2007251542.tif 000004
【図３】
2007251542.tif 000005
【図４】
2007251542.tif 000006
【図５】
2007251542.tif 000007
【図６】
2007251542.tif 000008
【図７】
2007251542.tif 000009
【図８】
2007251542.tif 000010
【図９】
2007251542.tif 000011
【図１０】
2007251542.tif 000012
【図１１】
2007251542.tif 000013
【図１２】
2007251542.tif 000014
【図１３】
2007251542.tif 000015
【図１４】
2007251542.tif 000016
【図１５】
2007251542.tif 000017
【図１６】
2007251542.tif 000018
【図１７】
2007251542.tif 000019
【図１８】
2007251542.tif 000020
【図１９】
2007251542.tif 000021
【図２０】
2007251542.tif 000022
【図２１】
2007251542.tif 000023
【図２２】
2007251542.tif 000024
【図２３】
2007251542.tif 000025
【図２４】
2007251542.tif 000026
【図２５】
2007251542.tif 000027
【図２６】
2007251542.tif 000028